(57)【要約】【課題】携帯電話機のＬＣＤ表示部の防塵構造において、携帯電話機本体寸法に対するＬＣＤ表示窓サイズを小さくすることなく、十分な防塵効果を得て、さらに、組立性を向上させることを目的とする。【解決手段】表示窓２４を有するフロントケース２１と、フロントケース２１の表示窓２４を介して情報を表示するＬＣＤモジュール２５と、ＬＣＤモジュール２５の少なくとも外壁面２５２の一部とＬＣＤモジュール２５の額縁部２５１とを覆う環状のシリコーンゴム成形品２３とを備え、シリコーンゴム成形品２３は、ＬＣＤモジュール２５の外壁面２５２とフロントケース２１の裏側面２１２との間で圧接され、かつ、ＬＣＤモジュール２５の額縁部２５１とフロントケース２１の表示窓２４の窓枠外周部２４１との間で圧接される。【選択図】        図２
2007214737.tif 000002
【特許請求の範囲】
【請求項１】
携帯電話機において、
表示窓を有するフロントケースと、
フロントケースの表示窓を介して情報を表示する表示パネル部と、
表示パネル部の少なくとも外壁面の一部と表示パネル部の額縁部とを覆う環状のシリコーンゴム成形品とを備え、
シリコーンゴム成形品は、表示パネル部の外壁面とフロントケースの裏側面との間で圧接され、かつ、表示パネル部の額縁部とフロントケースの表示窓の窓枠外周部との間で圧接されたことを特徴とする携帯電話機。
【請求項２】
携帯電話機において、
表示窓を有するフロントケースと、
フロントケースの表示窓を介して情報を表示する表示パネル部と、
凹部を有し、凹部の内部に表示パネル部を収納する表示パネルフレームと、
表示パネル部の少なくとも外壁面の一部と表示パネル部の額縁部とを覆う環状のシリコーンゴム成形品とを備え、
シリコーンゴム成形品は、表示パネル部の外壁面と表示パネルフレームの内壁面との間で圧接され、かつ、表示パネル部の額縁部とフロントケースの表示窓の窓枠外周部との間で圧接されたことを特徴とする携帯電話機。
【請求項３】
上記シリコーンゴム成形品は、
表示パネル部の額縁部を覆う環状額部と、
環状額部の周囲からスカート状に設けられ、表示パネル部の外壁面を覆う環状帯状部と、
環状額部からフロントケースの裏面に向かって凸状に突き出た環状リブと
を備えたことを特徴とする請求項１又は２記載の携帯電話機。
【請求項４】
上記シリコーンゴム成形品の環状帯状部の内周の長さは、表示パネル部の外周の長さよりも小さく、上記シリコーンゴム成形品は、環状帯状部を周方向に延ばした状態で表示パネル部の表面から底面方向に向かって表示パネル部の外壁にはめ込まれていることを特徴とする請求項１又は２記載の携帯電話機。
【請求項５】
表示窓を有するフロントケースと、
フロントケースの表示窓を介して情報を表示する表示パネル部と、
表示パネル部の外壁面を覆う環状帯状部と表示パネル部の額縁部とを覆う環状額部とを有するシリコーンゴム成形品とを備えた携帯電話機の製造方法において、
シリコーンゴム成形品の環状帯状部を周方向に延ばした状態で表示パネル部の表面から底面方向に向かってシリコーンゴム成形品の環状額部が表示パネル部の表面に当たるまでシリコーンゴム成形品を表示パネル部の外壁面にはめ込むシリコーンゴムはめ込み工程と、
シリコーンゴムはめ込み工程後、フロントケースの裏面が環状額部に圧接するまで、フロントケースの裏側面に環状帯状部の外周面を圧接させながら表示パネル部をスライドさせて表示パネル部をフロントケースに取り付ける表示パネル部取り付け工程と
を備えたことを特徴とする携帯電話機の製造方法。
【請求項６】
表示窓を有するフロントケースと、
フロントケースの表示窓を介して情報を表示する表示パネル部と、
凹部を有し、凹部の内部に表示パネル部を収納する表示パネルフレームと、
表示パネル部の外壁面を覆う環状帯状部と表示パネル部の額縁部とを覆う環状額部とを有するシリコーンゴム成形品とを備えた携帯電話機の製造方法において、
シリコーンゴム成形品の環状帯状部を周方向に延ばした状態で表示パネル部の表面から底面方向に向かってシリコーンゴム成形品の環状額部が表示パネル部の表面に当たるまでシリコーンゴム成形品を表示パネル部の外壁面にはめ込むシリコーンゴムはめ込み工程と、
シリコーンゴムはめ込み工程後、表示パネルフレームのフレーム内側面がシリコーンゴム成形品の環状帯状部の外周面に圧接するように、表示パネルフレームの凹部の内部に表示パネル部を収納する収納工程と、
収納工程後、フロントケースの裏面が環状額部に圧接するまで、凹部の内部に表示パネル部を収納した表示パネルフレームをフロントケースに取り付ける表示パネルフレーム取り付け工程と
を備えたことを特徴とする携帯電話機の製造方法。
【請求項７】
携帯電話機において、
表示窓を有するフロントケースと、
フロントケースの表示窓を介して情報を表示する表示パネル部と、
フロントケースの裏面であって表示窓の窓枠外周部にポッティングされた環状のシリコーンゴム成形部とを備え、
シリコーンゴム成形部は、表示パネル部の額縁部とフロントケースの表示窓の窓枠外周部との間で圧接されたことを特徴とする携帯電話機。
【請求項８】
携帯電話機において、
表示窓を有するフロントケースと、
フロントケースの表示窓を介して情報を表示する表示パネル部と、
表示パネル部の表面であって表示パネル部の額縁部にポッティングされた環状のシリコーンゴム成形部とを備え、
シリコーンゴム成形部は、表示パネル部の額縁部とフロントケースの表示窓の窓枠外周部との間で圧接されたことを特徴とする携帯電話機。
【発明の詳細な説明】
【技術分野】
【０００１】
本発明は、例えば、ＬＣＤ（液晶ディスプレイ：Ｌｉｑｕｉｄ  ｃｒｙｓｔａｌ  Ｄｉｓｐｌａｙ）表示部を備えた携帯電話機に関し、ＬＣＤ表示部の防塵構造に関するものである。
【背景技術】
【０００２】
ＬＣＤ表示部を備えた携帯電話機では、ＬＣＤ表示面へ周囲から塵埃が侵入するのを防止する必要がある。
【０００３】
従来のＬＣＤ表示部を備えた携帯電話機の防塵構造は、透明窓部品が両面テープ等により固定されたフロントケースに、スポンジ類の防塵クッションを両面テープで貼付け、防塵クッションにＬＣＤ表示面を圧接させ、密閉を保持する構造となっている。あるいは、ＬＣＤ表示面側に防塵クッションを貼付け、透明窓部品が固定されたフロントケースに圧接させて密閉を保持する構造となっている。
【特許文献１】特開２００５−１８９４９９号公報
【発明の開示】
【発明が解決しようとする課題】
【０００４】
近年、携帯電話機に使用しているＬＣＤでは、ＬＣＤの表示サイズを大きくするために、ＬＣＤモジュールの縦横寸法におけるＬＣＤ表示部の縦横寸法の占める割合が、大きくなっていく傾向にある。つまり、ＬＣＤの額縁部分が細くなる、所謂狭額縁化の傾向にある。しかし、携帯電話機本体サイズは携帯性や使い勝手等により、小形化、薄形化の傾向にある。したがって、携帯電話機本体の縦横寸法におけるＬＣＤ表示部の縦横寸法の占める割合も、大きくなっていく傾向にある。このような状況の中で、ＬＣＤ表示部において、ＬＣＤ表示面へ周囲から塵埃が侵入するのを防止するための防塵クッションは、幅が狭くなり、厚みも薄くなる傾向にある。それに伴って、組立性も悪化し、組立工数が余分にかかるという課題があった。さらに、防塵に充分な防塵クッションの幅を確保するために、本体サイズが大きくなるという課題があった。
【０００５】
本発明の実施の形態では、例えば、上記のような課題を解決するためになされたもので、ＬＣＤモジュールの縦横寸法に対するＬＣＤ表示部の表示サイズを小さくすることなく、十分な防塵効果を得ることを目的とする。また、携帯電話機本体寸法に対するＬＣＤ表示窓サイズを小さくすることなく、十分な防塵効果を得て、さらに、組立性を向上させることを目的とする。
【課題を解決するための手段】
【０００６】
本発明に係る携帯電話機は、
表示窓を有するフロントケースと、
フロントケースの表示窓を介して情報を表示する表示パネル部と、
表示パネル部の少なくとも外壁面の一部と表示パネル部の額縁部とを覆う環状のシリコーンゴム成形品と
を備え、
シリコーンゴム成形品は、表示パネル部の外壁面とフロントケースの裏面との間で圧接され、かつ、表示パネル部の額縁部とフロントケースの表示窓の窓枠外周部との間で圧接されたことを特徴とする。
【発明の効果】
【０００７】
本発明に係る携帯電話機は、シリコーンゴム成形品が、表示パネル部の外壁面とフロントケースの裏面との間で圧接され、かつ、表示パネル部の額縁部とフロントケースの表示窓の窓枠外周部との間で圧接されている構造を有しているので、携帯電話機本体寸法に対する表示窓サイズを大きくしつつ（表示窓サイズを維持しつつ）、十分な防塵効果を得ることができる。すなわち、本発明に係る携帯電話機は、従来のような両面テープに必要な幅が不要になる。
【発明を実施するための最良の形態】
【０００８】
まず、以下の実施の形態において説明する携帯電話機及び携帯電話機の防塵構造の概要について説明する。
【０００９】
以下の実施の形態における携帯電話機のＬＣＤ表示部の防塵構造は、表示部にＬＣＤモジュールを使用する携帯電話機における表示部の防塵構造である。
【００１０】
また、以下の実施の形態における携帯電話機は、表示窓となる透明窓部品が固定されたフロントケースと、そのフロントケースと係合して筐体を構成するリアケース、ＬＣＤモジュール、及びＬＣＤ制御を含めた各種制御回路用の電子部品や、無線回路用の電子部品等と配線を有するプリント基板、スピーカ等の音響部品、電池、各種のインターフェイスコネクタ等を備えている。以下の実施の形態では、携帯電話機の一例として、図１に示すようなスライド式携帯電話機１１について説明する。
【００１１】
実施の形態１．
実施の形態１について、図面を参照して以下に説明する。
【００１２】
図１は本実施の形態におけるスライド式携帯電話機１１の模式図である。
【００１３】
図１において、スライド式携帯電話機１１は、上側筐体１２と下側筐体１３を備えている。上側筐体１２の表面には、ＬＣＤ（液晶ディスプレイ：Ｌｉｑｕｉｄ  ｃｒｙｓｔａｌ  Ｄｉｓｐｌａｙ）表示部１４を備えている。
【００１４】
図２は図１に示す上側筐体１２の断面Ａ−Ａの模式図である。
【００１５】
図２において、上側筐体１２は、フロントケース２１、リアケース２２、シリコーンゴム成形品２３、ＬＣＤモジュール２５、プリント基板２６を備えている。ＬＣＤモジュール２５は、表示パネル部の一例である。
【００１６】
フロントケース２１は、表示窓２４を備えている。表示窓２４は、ＬＣＤモジュール２５がＬＣＤ表示した情報を透明スクリーン等の透明窓部品を介して表示する。
【００１７】
シリコーンゴム成形品２３は、ＬＣＤモジュール２５を囲むようにリング形状をしている。つまり、シリコーンゴム成形品２３は、環状であり、さらにＬＣＤモジュール２５の外壁面２５２の一部とＬＣＤモジュール２５の額縁部２５１とを覆う形状になっている。外壁面２５２と額縁部２５１とは、断面が概Γ字状の一体部材として構成されている。
【００１８】
シリコーンゴム成形品２３は、ＬＣＤモジュール２５の外壁面２５２とフロントケース２１の裏側面２１２との間で圧接され、かつ、ＬＣＤモジュール２５の額縁部２５１とフロントケース２１の表示窓２４の窓枠外周部２４１との間で圧接される。
【００１９】
リブ２８は、シリコーンゴム成形品２３がＬＣＤモジュール２５の額縁部２５１の周縁表面を覆う部分であり、凸状又は爪状又は舌状等のリブ形状になっている。凸状又は爪状又は舌状等の形状を有するシリコーンゴム成形品２３のリブ２８の先端は、フロントケース２１の裏面２１１に圧接し、その結果、表示窓２４、フロントケース２１、ＬＣＤモジュール２５の間で密閉した空間（密閉空間９９）ができあがる。
【００２０】
図３は、シリコーンゴム成形品２３の斜視図及びシリコーンゴム成形品２３とＬＣＤモジュール２５との辺の長さの対比を示す図である。図３（ａ）は、ＬＣＤモジュール２５にシリコーンゴム成形品２３をはめ込む場合の位置関係を示す図であり、図３（ｂ）は、シリコーンゴム成形品２３の裏側からの斜視図である。
【００２１】
図３において、シリコーンゴム成形品２３は、ＬＣＤモジュール２５の額縁部２５１（図２参照）を覆う環状額部４１と、環状額部４１の周囲からスカート状に設けられＬＣＤモジュール２５の外壁面２５２の一部を覆う環状帯状部４２と、環状額部４１からフロントケース２１の裏面２１１に向かって凸状に突き出たリブ２８（環状リブの一例）とから構成される。
【００２２】
図３では、シリコーンゴム成形品２３の環状帯状部４２は、ＬＣＤモジュール２５の外壁面２５２の上側（表面側）の一部を覆うような形になっているが、外壁面２５２の全て又は、外壁面２５２の全てとＬＣＤモジュール２５の裏側とを覆うような形状にしてもよい。
【００２３】
シリコーンゴム成形品２３は、伸縮性を有し、環状帯状部４２を周方向に延ばした状態でＬＣＤモジュール２５の表面９８から底面９７方向に向かってＬＣＤモジュール２５の外壁面２５２にはめ込まれる。
【００２４】
シリコーンゴム成形品２３において、環状帯状部４２の内周面４２２の長辺の長さＤは、ＬＣＤモジュール２５の外周の長辺の長さＢよりも小さくなっている（すなわち、Ｂ＞Ｄ）。さらに、環状帯状部４２の内周面４２２の短辺の長さＣは、ＬＣＤモジュール２５の外周の短辺の長さＡよりも小さい（すなわち、Ａ＞Ｃ）。
【００２５】
これにより、伸縮性を有するシリコーンゴム成形品２３を、環状帯状部４２を周方向に延ばした状態でＬＣＤモジュール２５の表面９８から底面９７方向に向かってＬＣＤモジュール２５の外壁面２５２にはめ込むことにより、シリコーンゴム成形品２３がＬＣＤモジュール２５に強力に密着して装着される。また、外壁面２５２が完全な平面でなくても、シリコーンゴム成形品２３がＬＣＤモジュール２５に強力に密着して装着される。
【００２６】
図４は、シリコーンゴム成形品２３のＢ−Ｂ断面拡大図である。ここでは、図４（ａ）を用いてシリコーンゴム成形品２３の各部位の好適な特性について説明する。
【００２７】
図４（ａ）において、リブ２８の断面は、逆Ｕ字状（山状）になっている。リブ２８は、フロントケース２１とＬＣＤモジュール２５との防塵用である。リブ２８がフロントケース２１の裏面２１１に接触する部分は、線接触であることが好ましいが、面接触であっても構わない。リブ２８は、先端がフロントケース２１の裏面２１１に線接触（あるいは面接触）した後、圧接してつぶされる。このため、リブ２８は、ある程度つぶれやすく形状変化性に富み、加えて弾性力を有することが好ましい。
【００２８】
図４（ａ）において、シリコーンゴム成形品２３の面が他の面と面接触する以下の面について説明する。シリコーンゴム成形品２３は、ＬＣＤモジュール２５の額縁部２５１と面接触する環状額部４１の内側の突き当て面４１２、フロントケース２１の裏側面２１２と面接触する環状帯状部４２の外周面４２１、ＬＣＤモジュール２５の外壁面２５２と面接触する環状帯状部４２の内周面４２２を有している。これらの面は、ＬＣＤモジュール２５およびフロントケース２１に取り付けた時に、フロントケース２１とＬＣＤモジュール２５との防塵効果を高めるために、面同士が滑ってしまったり、抜けてしまったりしないように摩擦力がある程度大きい方が好ましい。そのため、これらの面は、リブ２８に比べて、形状変化しにくい方が好ましい。また、フロントケース２１とＬＣＤモジュール２５とに強力に密着するように、弾力性を有することが好ましい。また、突き当て面４１２は、シリコーンゴム成形品２３を矢印Ｘ方向に向けてＬＣＤモジュール２５にはめ込むときに、はめ込み深さＬを一定にするためのストッパーの機能を有する。
【００２９】
図４（ａ）では、シリコーンゴム成形品２３のリブ２８は、環状額部４１の内側４１８に寄った部分が突き出て形成されており、リブ２８のリブ幅２８１は環状額部４１の成形品幅２８２の概２分の１の幅となっている。これは、シリコーンゴム成形品２３をフロントケース２１に圧入しやすいように、リブ２８を内側に寄せて成形しているためである。環状額部４１においてリブ２８でない部分は、平面状の外側面４１１となる。また、リブ２８は、環状額部４１の成形品幅２８２全体が突き出ているリブ形状でもよい（図４（ｃ））。この場合、リブ幅２８１と成形品幅２８２は等しくなる。また、図４（ｂ）は、リブ２８のリブ幅２８１が、環状額部４１の成形品幅２８２の概５分の４の幅長を有する場合を示す図である。
【００３０】
このように、シリコーンゴム成形品２３が本実施の形態におけるシリコーンゴム成形品２３の形状を有することにより、成形品幅２８２を、従来の両面テープを使用した防塵クッションの幅より短く押さえることでＬＣＤ表示部１４の大きさを維持しつつ、さらに、短い成形品幅２８２でも十分な防塵効果を得るという効果を奏する。
【００３１】
次に、図２、図３、図４を用いて、実施の形態１におけるスライド式携帯電話機１１の製造方法について説明する。
【００３２】
まず、図３に示すように、シリコーンゴム成形品２３の環状帯状部４２を周方向に延ばした状態で、ＬＣＤモジュール２５の表面から底面方向（矢印Ｘ方向）に向かってシリコーンゴム成形品の環状額部４１の内側の面（突き当て面４１２）がＬＣＤモジュール２５の表面９８に当たるまで、シリコーンゴム成形品２３をＬＣＤモジュール２５の外壁面２５２にはめ込む（シリコーンゴムはめ込み工程）。
【００３３】
シリコーンゴムはめ込み工程後、シリコーンゴム成形品２３をはめ込んだＬＣＤモジュール２５をフロントケース２１に取り付ける。具体的には、リブ２８をつぶしながらフロントケース２１の裏面２１１がリブ２８を圧接するまで、フロントケース２１の裏側面２１２に環状帯状部４２の外周面４２１を圧接させながらＬＣＤモジュール２５をスライドさせてＬＣＤモジュール２５をフロントケース２１に取り付ける（表示パネル部取り付け工程）。
【００３４】
さらに、ＬＣＤモジュール２５の背面（底面９７）に設置したプリント基板２６及びフロントケース２１とリアケース２２との係合により圧接を確保する（フロントケース係合工程）。
【００３５】
あるいは、以下のような工程にしてもよい。
【００３６】
シリコーンゴムはめ込み工程後、リアケース２２にプリント基板２６を取り付け、シリコーンゴム成形品２３が取り付けられたＬＣＤモジュール２５をプリント基板におき、フロントケース２１をシリコーンゴム成形品２３が取り付けられたＬＣＤモジュール２５に対し、矢印Ｘ方向にかぶせる。そして、リブ２８をつぶしながらフロントケース２１の裏面２１１がリブ２８を圧接するまで、フロントケース２１の裏側面２１２に環状帯状部４２の外周面４２１を圧接させながらＬＣＤモジュール２５をスライドさせてＬＣＤモジュール２５をフロントケース２１に取り付ける（表示パネル部取り付け工程、フロントケース係合工程））。
【００３７】
以上のように、ＬＣＤモジュール２５は、シリコーンゴム成形品２３に周囲を巻かれた状態で、フロントケース２１に設置された保持リブ２７に圧入固定される。そのため、シリコーンゴム成形品２３のリブ２８は、フロントケース２１の裏面２１１に圧接し、表示窓２４、フロントケース２１、ＬＣＤモジュール２５の間で密閉した空間（密閉空間９９）ができあがる。さらに、ＬＣＤモジュール２５の背面（底面９７）に設置したプリント基板２６及びフロントケース２１とリアケース２２との係合により圧接を確保する。
【００３８】
フロントケース２１とリアケース２２との結合は、フロントケース２１とリアケース２２との係合と、シリコーンゴム成形品２３による面と面との摩擦力と、によってのみ圧接を確保してもよい。また、ネジ止め使用、接着剤使用等の他の接着方法を併用してもよい。
【００３９】
このように、本実施の形態におけるスライド式携帯電話機１１では、ＬＣＤモジュール２５の額縁部２５１を覆うシリコーンゴム成形品２３のリブ幅２８１だけで防塵効果を得ることができるため、ＬＣＤ表示部１４の面積を大きくすることができる。
【００４０】
実施の形態２．
実施の形態２について、図５を用いて説明する。
【００４１】
図５において、フロントケース２１、リアケース２２、シリコーンゴム成形品２３、表示窓２４、ＬＣＤモジュール２５、プリント基板２６については、実施の形態１で説明したものと同様の構造・機能であるため、同じ符号を付して説明を省略する。
【００４２】
図５において、シリコーンゴム成形品２３をはめ込んだＬＣＤモジュール２５は、ＬＣＤフレーム３７に圧入固定されている。ＬＣＤフレーム３７は表示パネルフレームの一例である。
【００４３】
ＬＣＤフレーム３７は、凹部を有する箱状の形状であり、凹部の内部にＬＣＤモジュール２５を収納する。このとき、ＬＣＤモジュール２５の少なくとも外壁面２５２の一部とＬＣＤモジュール２５の額縁部２５１とを覆う環状のシリコーンゴム成形品２３は、ＬＣＤモジュール２５の外壁面２５２とＬＣＤフレーム３７のフレーム内壁面３７１との間で圧接され、かつ、ＬＣＤモジュール２５の額縁部２５１とフロントケース２１の表示窓２４の窓枠外周部２４１との間で圧接される。
【００４４】
つまり、本実施の形態におけるスライド式携帯電話機１１は、シリコーンゴム成形品２３を巻いたＬＣＤモジュール２５をＬＣＤフレーム３７に圧入固定し、そのＬＣＤフレーム３７をプリント基板２６とともに、フロントケース２１とリアケース２２の係合により挟んだものである。
【００４５】
次に、実施の形態２におけるスライド式携帯電話機１１の製造方法について、主に実施の形態１と異なる点について説明する。
【００４６】
まず、シリコーンゴム成形品２３をＬＣＤモジュール２５の外壁面２５２にはめ込む（シリコーンゴムはめ込み工程）。シリコーンゴムはめ込み工程は、実施の形態１で説明したものと同様である。
【００４７】
シリコーンゴムはめ込み工程後、ＬＣＤフレーム３７のフレーム内壁面３７１がシリコーンゴム成形品２３の環状帯状部４２の外周面に圧接するように、ＬＣＤフレーム３７の凹部の内部にＬＣＤモジュール２５をスライドさせながら圧入して、収納する（収納工程）。
【００４８】
収納工程後、フロントケース２１の裏面２１１がリブ２８をつぶして環状額部４１に圧接するまで、凹部の内部にＬＣＤモジュール２５を収納したＬＣＤフレーム３７をフロントケース２１に取り付ける（ＬＣＤフレーム取り付け工程）。
【００４９】
さらに、ＬＣＤフレーム３７の背面に設置したプリント基板２６及びフロントケース２１とリアケース２２との係合により圧接を確保する（フロントケース係合工程）。フロントケース係合工程は、実施の形態１で説明したものと同様である。
【００５０】
このように、本実施の形態では、ＬＣＤフレーム３７を使用することにより、上側筐体１２の強度を向上させることができるという効果がある。
【００５１】
実施の形態３．
実施の形態３について、図６を用いて説明する。
【００５２】
図６において、フロントケース２１、リアケース２２、表示窓２４、ＬＣＤモジュール２５、プリント基板２６、ＬＣＤフレーム３７については、実施の形態１〜２で説明したものと同様の構造・機能であるため、同じ符号を付して説明を省略する。
【００５３】
本実施の形態におけるシリコーンゴム成形品６３は、実施の形態１〜２で説明したＬＣＤモジュール２５の額縁部２５１を覆うリブ２８と、実施の形態１〜２で説明したＬＣＤモジュール２５の外壁面２５２の全体を覆う環状帯状部４２に加えて、さらに、ＬＣＤモジュール２５の底側額縁部２５３を覆う底側リブ２８３とを有する形状になっている。
【００５４】
つまり、本実施の形態におけるシリコーンゴム成形品６３は、ＬＣＤモジュール２５の額縁部２５１から外壁面２５２、さらに底側額縁部２５３までの全体を覆う、環状の形状になっている。このとき、リブ２８と底側リブ２８３とは、同じ形状のリブでもよいし、違う形状のリブでも構わない。
【００５５】
このように、ＬＣＤモジュール２５が、上下両面の額縁部と側面全体を覆う環状の形状のシリコーンゴム成形品６３を装着しＬＣＤフレーム３７に圧入固定されることで、本実施の形態におけるスライド式携帯電話機１１は、防塵効果ばかりでなく、落下時等の振動等に耐える強度が向上するという効果を奏する。
【００５６】
実施の形態４．
実施の形態４について、図７を用いて説明する。
【００５７】
図７は、フロントケース２１の裏面２１１にシリコーンゴムポッティング７３を設置した場合の断面図である。
【００５８】
図７において、フロントケース２１、リアケース２２、表示窓２４、ＬＣＤモジュール２５、プリント基板２６、保持リブ２７については、実施の形態１で説明したものと同様の構造・機能であるため、同じ符号を付して説明を省略する。
【００５９】
実施の形態１〜３におけるスライド式携帯電話機１１は、シリコーンゴム成形品２３をＬＣＤモジュール２５の周囲に装着することにより、防塵効果を得るものである。本実施の形態では、フロントケース２１にシリコーンゴムポッティング７３を設置することにより、図２のシリコーンゴム成形品２３と同様な機能と効果を得るものである。シリコーンゴムポッティング７３は、シリコーンゴム成形部の一例である。
【００６０】
シリコーンゴムポッティング７３とは、弾性体であるシリコーンゴム等の合成ゴム等を、例えば、フロントケース２１の裏面２１１のような平面に盛り上げて加工・設置するものである。
【００６１】
シリコーンゴムポッティング７３は、フロントケース２１の裏面２１１であって表示窓２４の窓枠外周部２４１に、連続した環状（リング状）にポッティングされる。そして、シリコーンゴムポッティング７３は、ＬＣＤモジュール２５の額縁部２５１とフロントケース２１の表示窓２４の窓枠外周部２４１との間で圧接される。
【００６２】
このように、表示窓２４、フロントケース２１、ＬＣＤモジュール２５の間で密閉した空間（密閉空間９９）ができあがる。
【００６３】
図８は、ＬＣＤモジュール２５の額縁部２５１にシリコーンゴムポッティング８３を設置した場合の断面図である。
【００６４】
図８において、シリコーンゴムポッティング８３は、ＬＣＤモジュール２５の表面であってＬＣＤモジュール２５の額縁部２５１に、連続した環状（リング状）にポッティングされる。そして、シリコーンゴムポッティング８３は、ＬＣＤモジュール２５の額縁部２５１とフロントケース２１の表示窓２４の窓枠外周部２４１との間で圧接される。このように、表示窓２４、フロントケース２１、ＬＣＤモジュール２５の間で密閉した空間（密閉空間９９）ができあがる。
【００６５】
以上のように、本実施の形態では、フロントケース２１とシリコーンゴムポッティング７３を一体部品とすることが可能である。また、ＬＣＤモジュール２５とシリコーンゴムポッティング８３を一体部品とすることが可能である。このため、本実施の形態におけるスライド式携帯電話機１１は、部品点数を減らしながら防塵効果を得ることができるという効果を奏する。
【００６６】
実施の形態５．
本実施の形態では、図９を用いて、実施の形態１〜３におけるシリコーンゴム成形品２３，６３の断面図の形状について説明する。また、図１０を用いて、実施の形態１〜３におけるリブ２８の断面図の形状について説明する。
【００６７】
図９（ａ）は、シリコーンゴム成形品２３の断面図の形状がΓ字状の例であり、リブ２８は平面状の形状である。図９（ｂ）は、シリコーンゴム成形品２３の断面図の形状がΓ字状であり、リブ２８が球面状の形状である。図９（ｃ）は、シリコーンゴム成形品２３の断面図の形状がコ字状の例である。図９（ｄ）は、シリコーンゴム成形品２３の断面図の形状がＣ字状の例である。図９（ｅ）は、シリコーンゴム成形品２３の断面図の形状がト字状の例である。図９（ｆ）は、シリコーンゴム成形品２３の断面図の形状がΓ字状の例であり、リブ２８の断面が三角状になっている例である。図９（ｇ）は、シリコーンゴム成形品２３の断面図の形状が３字状の例である。図９（ｈ）は、シリコーンゴム成形品２３の断面図の形状がイ字状の例である。図９（ｉ）は、シリコーンゴム成形品２３の断面図の形状がクランク状の例である。
【００６８】
ここで、シリコーンゴム成形品２３の断面図が図９（ｃ）のコ字状、図９（ｄ）のＣ字状、図９（ｇ）の３字状等のようにシリコーンゴム成形品２３の下側にもリブを備えた形状は、実施の形態３において適用してもよい。
【００６９】
次に、図１０を用いて、リブ２８の断面図の形状について説明する。
【００７０】
図１０（ａ）は、リブ２８の断面図の形状が逆Ｖ字状の例である。図１０（ｂ）は、リブ２８の断面図の形状が凸字状の例である。図１０（ｃ）は、リブ２８の断面図の形状が球面状の例である。図１０（ｄ）は、リブ２８の断面図の形状がＣ字状の例である。図１０（ｅ）は、リブ２８の断面図の形状が台形状の例である。図１０（ｆ）は、リブ２８の断面図の形状がギザギザの鋸歯状の例である。リブ２８の断面図の形状は、これらの図１０（ａ）〜（ｆ）の例に限られず、他の形状の突起形状でも構わない。また、必ずしも突起形状である必要はなく、平面状あるいは球面状等でもかまわない。
【００７１】
また、図９（ａ）〜（ｉ）までのシリコーンゴム成形品２３の断面図の形状と、図１０（ａ）〜（ｆ）のリブ２８の断面図の形状はどのように組み合わせても構わない。
【００７２】
実施の形態１〜５では、スライド式携帯電話機１１を例として説明したが、実施の形態１〜５に係る防塵構造は、２つ折り式携帯電話機、回転式携帯電話機、ストレート型携帯電話機等の表示部を有する携帯電話機であっても適用できる。また、携帯電話機に限らず、実施の形態１〜５に係る防塵構造は、表示部を有する携帯ゲーム機、携帯音楽再生機等の表示部を有する電子機器に対しても適用できる。
【００７３】
シリコーンゴムとは、弾性体の樹脂である合成ゴム等のひとつであるが、耐熱性・耐寒性にすぐれた弾性体であれば、他の合成ゴム、合成樹脂等でもよい。
【００７４】
実施の形態１〜５について、以下にまとめて説明する。
【００７５】
ＬＣＤ表示部を有する携帯電話機においては、ＬＣＤモジュールの周囲は、シリコーンゴム成形品による防塵クッションが巻かれている。このシリコーンゴム製の防塵クッションは、フロントケースと接触して密閉をとるためのリブを有している。防塵クッションが巻かれたＬＣＤモジュールは、フロントケースに設置された保持リブに圧入固定され、シリコーンゴム製の防塵クッションはフロントケースに圧接されることで、ＬＣＤの表示面（ＬＣＤモジュールの表面）とフロントケースの表示窓との間に密閉した空間を形成する。
【００７６】
さらに、ＬＣＤ表示部を有する携帯電話機では、ＬＣＤモジュールの背面にプリント配線基板等が実装されており、フロントケースとリアケースとを係合することにより、シリコーンゴム製防塵クッションのフロントケースに対する接圧は確保される。
【００７７】
ここで、防塵クッションが巻かれたＬＣＤモジュールの固定は、フロントケースに固定されるＬＣＤフレームで行ってもよい。この場合、ＬＣＤフレームは、防塵クッションが巻かれたＬＣＤモジュールを圧入保持する凹みを有し、ＬＣＤフレームをフロントケースに固定する構造となる。
【００７８】
また、シリコーンゴム成形品を使用せずに、フロントケースにおいてＬＣＤモジュールが接触する面に、シリコーンゴムをリブ状にポッティングしても良い。また、シリコーンゴムのポッティングは、ＬＣＤモジュール側でも良い。
【００７９】
実施の形態１〜３に係るＬＣＤ表示部を有する携帯電話機は、ＬＣＤ周囲にシリコーンゴム成形品を巻き、シリコーンゴム成形品と意匠ケース（フロントケース）の裏側とを圧接させる防塵構造を有する。
【００８０】
実施の形態４に係るＬＣＤ表示部を有する携帯電話機は、実施の形態１〜３における防塵構造で使用するシリコーンゴム成形品の代わりに、意匠ケース（フロントケース）の裏側にシリコーンゴムをポッティングし、ＬＣＤ（ＬＣＤモジュール）を圧接させる防塵構造を有する。
【００８１】
実施の形態１〜４に係るＬＣＤ表示部を有する電子機器は、実施の形態１〜４のいずれかのＬＣＤ表示部防塵構造を備えたことを特徴とする。
【図面の簡単な説明】
【００８２】
【図１】実施の形態１に係るスライド式携帯電話機１１の模式的な斜視図である。
【図２】実施の形態１に係るスライド式携帯電話機１１の上側筐体のＡ−Ａ断面図である。
【図３】実施の形態１に係るシリコーンゴム成形品２３の斜視図及びシリコーンゴム成形品２３とＬＣＤモジュール２５との辺の対比を示す図である。
【図４】実施の形態１に係るシリコーンゴム成形品２３のＢ−Ｂ断面拡大図である。
【図５】実施の形態２に係るスライド式携帯電話機１１の上側筐体のＡ−Ａ断面図である。
【図６】実施の形態３に係るスライド式携帯電話機１１の上側筐体のＡ−Ａ断面図である。
【図７】実施の形態４におけるフロントケース２１の裏面２１１にシリコーンゴムポッティング７３を設置した場合の上側筐体のＡ−Ａ断面図である。
【図８】実施の形態４におけるＬＣＤモジュール２５の額縁部２５１にシリコーンゴムポッティング８３を設置した場合の上側筐体のＡ−Ａ断面図である。
【図９】シリコーンゴム成形品２３の断面図の形状を示す図である。
【図１０】リブ２８の断面図の形状を示す図である。
【符号の説明】
【００８３】
１１  スライド式携帯電話機、１２  上側筐体、１３  下側筐体、１４  ＬＣＤ表示部、２１  フロントケース、２２  リアケース、２３  シリコーンゴム成形品、２４  表示窓、２５  ＬＣＤモジュール、２６  プリント基板、２７  保持リブ、２８  リブ、３７  ＬＣＤフレーム、４１  環状額部、４２  環状帯状部、６３  シリコーンゴム成形品、７３  シリコーンゴムポッティング、８３  シリコーンゴムポッティング、２１１  裏面、２１２  裏側面、２４１  窓枠外周部、２５１  額縁部、２５２  外壁面、２５３  底側額縁部、２８１  リブ幅、２８２  成形品幅、２８３  底側リブ、３７１  フレーム内壁面。
【図１】
2007214737.tif 000003
【図２】
2007214737.tif 000004
【図３】
2007214737.tif 000005
【図４】
2007214737.tif 000006
【図５】
2007214737.tif 000007
【図６】
2007214737.tif 000008
【図７】
2007214737.tif 000009
【図８】
2007214737.tif 000010
【図９】
2007214737.tif 000011
【図１０】
2007214737.tif 000012